(57)【特許請求の範囲】
【請求項１】
格納した所定数のディスクを随時切り換えて再生する再生機器が、再生機器を制御する制御機器に直列接続により複数台接続されてなるオーディオシステムであって、
制御機器は、
マスタ機器となる再生機器を介して、各再生機器に対しディスクチェンジを並行して行うように指示する指示手段と、
前記指示手段による指示に従ってディスクチェンジを行った各再生機器から、ディスクの識別情報を、マスタ機器となる再生機器を介して取得する取得手段と、を備え、
マスタ機器となる再生機器は、
前記指示手段による指示に従ってディスクチェンジを行うチェンジ手段と、
前記指示手段による指示をスレーブ機器となる再生機器に転送する第１の転送手段と、
読み出した識別情報を制御機器に供給する供給手段と、
スレーブ機器となる再生機器から出力される識別情報を制御機器に転送する第２の転送手段と、を備え、
スレーブ機器となる再生機器は、
前記第１の転送手段から転送された指示に従ってディスクチェンジを行うチェンジ手段と、
読み出した識別情報をマスタ機器となる再生機器に出力する出力手段と、を備える、
ことを特徴とするオーディオシステム。
【請求項２】
格納した所定数のディスクを随時切り換えて再生する再生機器であって、該再生機器を制御する制御機器にマスタ機器として接続し、さらに該再生機器に他の再生機器がスレーブ機器として接続されるものであり、
前記制御機器から、該再生機器と前記他の再生機器とがディスクチェンジを並行して行う指示を受信する指示受信手段と、
前記指示受信手段が受信した指示に従ってディスクチェンジを行うチェンジ手段と、
前記指示受信手段が受信した指示をスレーブ機器となる前記他の再生機器に転送する第１の転送手段と、
読み出したディスクの識別情報を前記制御機器に供給する供給手段と、
前記第１の転送手段が転送した指示に従ってディスクチェンジを行った前記他の再生機器から出力される識別情報を前記制御機器に転送する第２の転送手段と、を備える、
ことを特徴とする再生機器。
【請求項３】
格納した所定数のディスクを随時切り換えて再生する複数の再生機器であって、一方が、再生機器を制御する制御機器にマスタ機器として接続するものであり、他方が、マスタ機器となる再生機器にスレーブ機器として接続するものであり、
マスタ機器となる前記再生機器は、
前記制御機器から前記各再生機器がディスクチェンジを並行して行う指示を受信する指示受信手段と、
前記指示受信手段が受信した指示に従ってディスクチェンジを行うチェンジ手段と、
前記指示受信手段が受信した指示をスレーブ機器となる前記再生機器に転送する第１の転送手段と、
読み出したディスクの識別情報を前記制御機器に供給する供給手段と、
スレーブ機器となる前記再生機器から出力される識別情報を前記制御機器に転送する第２の転送手段と、を備え、
スレーブ機器となる前記再生機器は、
前記第１の転送手段から転送された指示に従ってディスクチェンジを行うチェンジ手段と、
読み出したディスクの識別情報をマスタ機器となる前記再生機器に出力する出力手段と、を備える、
ことを特徴とする再生機器。
【発明の詳細な説明】
【０００１】
【発明の属する技術分野】
この発明は、オーディオシステム、記録媒体再生装置及びプログラムに関する。
【０００２】
【従来の技術】
音楽ＣＤ（コンパクトディスク）等の普及に伴い、ＣＤプレーヤに代表されるディスク再生機器が最もポピュラーな音楽再生装置の１つとして広まっている。このようなディスク再生機器は、ディスク（音楽ＣＤ等）に記録された複数の楽曲データをトラック番号によって管理する。そして、このトラック番号を使用して多彩な楽曲再生を行うことができる。
また、ディスク再生機器には、複数枚のディスクを格納し、各ディスクを随時切り換えて再生可能な多連装タイプの機器も知られている。このような多連装タイプのディスク再生機器は、例えば、１０枚以上ものディスクを格納でき、長時間に渡る連続再生を行うことができる。
【０００３】
近年、このようなディスク再生機器をパーソナルコンピュータ（パソコン）と接続し、パソコン側からディスク再生機器の制御を行ったり、パソコン側にてディスク情報（タイトル情報等）の管理を行うことのできるシステムが知られている。
このようなシステムについて図５を参照して説明する。図５は、従来のオーディオシステムの一例を示す模式図である。
図５に示すオーディオシステムは、モデム等の通信デバイスを備えたパソコン１１と、所定のインタフェースを備えた多連装タイプのディスク再生機器１２と、ＴＯＣ（Table Of Contents）情報とタイトル情報とが関連付けられたデータベース等を備えたサーバ１３とからなる。なお、パソコン１１とディスク再生機器１２とは、ＲＳ−２３２Ｃケーブル１４を介して接続されており、また、パソコン１１とサーバ１３とは、インターネット１９を介して接続されている。
【０００４】
以下、このような従来のオーディオシステムの動作について、図６に示す動作フローを参照して説明する。
まず、ディスク再生機器１２は、再生対象となるディスクの番号をＲＳ−２３２Ｃケーブル１４を介してパソコン１１に出力する（プロセスＰａ１）。そして、パソコン１１は、取得したディスク番号を所定のディスプレイに表示する（プロセスＰｂ１）。
ディスク再生機器１２は、対象ディスクからディスクの識別情報となるＴＯＣ情報の読み込みを開始し、その読み込みを終えると、ＴＯＣ読み込み終了コードをパソコン１１に出力する（プロセスＰａ２）。
この終了コードを取得すると、パソコン１１は、ＴＯＣ情報要求コードをディスク再生機器１２に出力する（プロセスＰｂ２）。そして、ディスク再生機器１２は、読み込んだＴＯＣ情報をパソコン１１に出力する（プロセスＰａ３）。
【０００５】
パソコン１１は、取得したＴＯＣ情報を所定のメモリ等に記憶する（プロセスＰｂ３）と共に、インターネット１９を介してサーバ１３に接続する（プロセスＰｂ４）。サーバ１３は、パソコン１１との接続を確立する（プロセスＰｃ１）。
パソコン１１は、メモリ等に記憶したＴＯＣ情報をサーバ１３に送信する（プロセスＰｂ５）。このＴＯＣ情報を受信すると、サーバ１３は、データベースを検索し、ＴＯＣ情報とマッチングしたタイトル情報をパソコン１１に返送する（プロセスＰｃ２）。
パソコン１１は、受信したタイトル情報をメモリ等に記憶すると共に、ディスプレイに表示する（プロセスＰｂ６）。また、パソコン１１は、タイトル情報をディスク再生機器１２に出力する（プロセスＰｂ７）。そして、ディスク再生機器１２は、取得したタイトル情報をディスク番号に対応付けて所定の不揮発性メモリ等に記憶する（プロセスＰａ４）。
【０００６】
このように、パソコン１１は、ディスク再生機器１２から取得したＴＯＣ情報をサーバ１３に送信することにより、ＴＯＣ情報により特定されるディスク（音楽ＣＤ等）のタイトル情報を取得することができる。
【０００７】
上述した図６に示す動作フローでは、パソコン１１が１枚のディスクのＴＯＣ情報をディスク再生機器１２から取得し、そのＴＯＣ情報に対応するタイトル情報をサーバ１３から取得する場合について示した。それでも実際には、ディスク再生機器１２に複数のディスクが格納されている場合に、パソコン１１は、一般に、「ALL Disc Read Mode」と呼ばれる機能を用いて、全ディスクのＴＯＣ情報をディスク再生機器１２から取得した後に、各ＴＯＣ情報に対応するタイトル情報をサーバ１３から一括して取得する。すなわち、パソコン１１は、１つのＴＯＣ情報を取得する毎に、対応するタイトル情報をダウンロードするのではなく、ディスク再生機器１２から取得したＴＯＣ情報をメモリ等に順次記憶し、全ディスクのＴＯＣ情報を取得した後に、サーバ１３と接続して、各タイトル情報をダウンロードする。
以下、このような「ALL Disc Read Mode」時におけるオーディオシステムの動作について、図７に示す動作フローを参照して説明する。
【０００８】
まず、パソコン１１は、ディスク番号ｎ（ｎは、変数であり、１以上の自然数を示す。）のクランプ要求をディスク再生機器１２に出力する（プロセスＰ１１）。そして、ディスク再生機器１２は、要求された番号のディスクにディスクチェンジする（プロセスＰ２１）。
ディスク再生機器１２は、対象ディスクへのディスクチェンジを終えると、ＴＯＣ情報を読み込み、ＴＯＣ読み込み終了コードをパソコン１１に出力する（プロセスＰ２２）。
終了コードを取得すると、パソコン１１は、ＴＯＣ情報要求コードをディスク再生機器１２に出力する（プロセスＰ１２）。そして、ディスク再生機器１２は、ＴＯＣ情報をパソコン１１に出力する（プロセスＰ２３）。
パソコン１１は、取得したＴＯＣ情報をメモリ等に記憶し（プロセスＰ１３）、全ディスク分のＴＯＣ情報の取得が完了したか否かを判別する（プロセスＰ１４）。パソコン１１は、全てのＴＯＣ情報の取得が完了していないと判別すると、上述のプロセスＰ１１に処理を戻す。
【０００９】
一方、全てのＴＯＣ情報の取得が完了したと判別した場合に、パソコン１１は、インターネット１９を介してサーバ１３に接続する（プロセスＰ１５）。サーバ１３は、パソコン１１との接続を確立する（プロセスＰ３１）。
パソコン１１は、ディスク番号ｎのＴＯＣ情報をサーバ１３に送信する（プロセスＰ１６）。このＴＯＣ情報を受信すると、サーバ１３は、データベースを検索し、受信したＴＯＣ情報とマッチングしたタイトル情報をパソコン１１に返送する（プロセスＰ３２）。
パソコン１１は、受信したタイトル情報をメモリ等に記憶し（プロセスＰ１７）、全ディスク分のタイトル情報の取得が完了したか否かを判別する（プロセスＰ１８）。パソコン１１は、全てのタイトル情報の取得が完了していないと判別すると、上述のプロセスＰ１６に処理を戻す。
一方、全てのタイトル情報の取得が完了したと判別した場合に、パソコン１１は、各タイトル情報をディスク再生機器１２に出力する（プロセスＰ１９）。そして、ディスク再生機器１２は、取得した各タイトル情報をディスク番号に対応付けて不揮発性メモリ等に記憶する（プロセスＰ２４）。
【００１０】
このように、パソコン１１は、「ALL Disc Read Mode」によりディスク再生機器１２から全ディスクのＴＯＣ情報を取得し、取得した各ＴＯＣ情報をサーバ１３に送信することにより、各ＴＯＣ情報にて特定されるディスクのタイトル情報をそれぞれ取得することができる。
【００１１】
【発明が解決しようとする課題】
上述した図５に示すようなオーディオシステムは、ディスク再生機器１２をデイジーチェーン（Daisy Chain）により、複数台接続することも可能となっている。具体的には、図８に示すように、パソコン１１にＲＳ２３２Ｃケーブル１４を介してディスク再生機器１２ａ（マスタ）が接続され、このディスク再生機器１２ａにＩＥＢｕｓ（Inter Equipment Bus）やＵＡＲＴ（Universal Asynchronous Receiver Transmitter）等のインタフェースケーブル１５を介してディスク再生機器１２ｂ（スレーブ１）が接続され、更に、ディスク再生機器１２ｂにインタフェースケーブル１５を介してディスク再生機器１２ｃ（スレーブ２）が接続される。
このような、複数台のディスク再生機器１２が含まれるオーディオシステムは、マスタとなるディスク再生機器１２ａがパソコン１１と直接データの送受信を行い、スレーブとなるディスク再生機器１２ｂ，１２ｃがディスク再生機器１２ａを介してパソコン１１との間で間接的にデータの送受信を行う。
【００１２】
しかしながら、図８に示すようなオーディオシステムは、上述の「ALL Disc Read Mode」により、ディスク再生機器１２ａ〜１２ｃから全ディスクのＴＯＣ情報を取得し終えるまでに相当の長時間を要してしまうという問題があった。
すなわち、オーディオシステムは、上述の図７に示すプロセスＰ１１〜Ｐ１４及び、プロセスＰ２１〜Ｐ２３の処理をディスク再生機器毎（１２ａ〜１２ｃ）に繰り返すことになる。具体的にオーディオシステムは、図９に示すように、まず、マスタとなるディスク再生機器１２ａに格納されている全ディスクのＴＯＣ情報をディスクチェンジさせながら取得し、次に、スレーブとなるディスク再生機器１２ｂ，１２ｃに格納されている全ディスクのＴＯＣ情報をディスクチェンジさせながら順に取得する。
【００１３】
この際、ディスクチェンジ毎に所定時間ｔを要することとなるが、ディスク再生機器１２ａ〜１２ｃは、それぞれ機器毎に同じ動作を単に繰り返すだけであるため、全てのＴＯＣ情報を読み出すまでに相当の長時間Ｔを要してしまうこととなる。
つまり、ディスク再生機器１２ａ〜１２ｃには、１枚のディスクからＴＯＣ情報を読み出した後、次のディスクのＴＯＣ情報を読み出すまでにディスクチェンジに要する待ち時間が発生するが、オーディオシステムは、この待ち時間を有効に活用していないため、全てのＴＯＣ情報を迅速に取得することができなかった。
【００１４】
この発明は、上記実状に鑑みてなされたもので、複数のディスク再生機器を含んだオーディオシステムにおいて、各ディスク再生機器から複数の識別情報を迅速に取得することのできるオーディオシステム、記録媒体再生装置およびプログラムを提供することを目的とする。
【００１７】
【課題を解決するための手段】
上記目的を達成するため、本発明の第１の観点に係るオーディオシステムは、
格納した所定数のディスクを随時切り換えて再生する再生機器が、再生機器を制御する制御機器に直列接続により複数台接続されてなるオーディオシステムであって、
制御機器は、
マスタ機器となる再生機器を介して、各再生機器に対しディスクチェンジを並行して行うように指示する指示手段と、
前記指示手段による指示に従ってディスクチェンジを行った各再生機器から、ディスクの識別情報を、マスタ機器となる再生機器を介して取得する取得手段と、を備え、
マスタ機器となる再生機器は、
前記指示手段による指示に従ってディスクチェンジを行うチェンジ手段と、
前記指示手段による指示をスレーブ機器となる再生機器に転送する第１の転送手段と、
読み出した識別情報を制御機器に供給する供給手段と、
スレーブ機器となる再生機器から出力される識別情報を制御機器に転送する第２の転送手段と、を備え、
スレーブ機器となる再生機器は、
前記第１の転送手段から転送された指示に従ってディスクチェンジを行うチェンジ手段と、
読み出した識別情報をマスタ機器となる再生機器に出力する出力手段と、を備える、
ことを特徴とする。
【００２１】
上記目的を達成するため、本発明の第２の観点に係る再生機器は、
格納した所定数のディスクを随時切り換えて再生する再生機器であって、該再生機器を制御する制御機器にマスタ機器として接続し、さらに該再生機器に他の再生機器がスレーブ機器として接続されるものであり、
前記制御機器から、該再生機器と前記他の再生機器とがディスクチェンジを並行して行う指示を受信する指示受信手段と、
前記指示受信手段が受信した指示に従ってディスクチェンジを行うチェンジ手段と、
前記指示受信手段が受信した指示をスレーブ機器となる前記他の再生機器に転送する第１の転送手段と、
読み出したディスクの識別情報を前記制御機器に供給する供給手段と、
前記第１の転送手段が転送した指示に従ってディスクチェンジを行った前記他の再生機器から出力される識別情報を前記制御機器に転送する第２の転送手段と、を備える、
ことを特徴とする。
【００２２】
上記目的を達成するため、本発明の第３の観点に係る再生機器は、
格納した所定数のディスクを随時切り換えて再生する複数の再生機器であって、一方が、再生機器を制御する制御機器にマスタ機器として接続するものであり、他方が、マスタ機器となる再生機器にスレーブ機器として接続するものであり、
マスタ機器となる前記再生機器は、
前記制御機器から前記各再生機器がディスクチェンジを並行して行う指示を受信する指示受信手段と、
前記指示受信手段が受信した指示に従ってディスクチェンジを行うチェンジ手段と、
前記指示受信手段が受信した指示をスレーブ機器となる前記再生機器に転送する第１の転送手段と、
読み出したディスクの識別情報を前記制御機器に供給する供給手段と、
スレーブ機器となる前記再生機器から出力される識別情報を前記制御機器に転送する第２の転送手段と、を備え、
スレーブ機器となる前記再生機器は、
前記第１の転送手段から転送された指示に従ってディスクチェンジを行うチェンジ手段と、
読み出したディスクの識別情報をマスタ機器となる前記再生機器に出力する出力手段と、を備える、
ことを特徴とする。
【００２５】
【発明の実施の形態】
本発明の実施の形態にかかるオーディオシステムについて、以下図面を参照して説明する。
【００２６】
図１は、この発明の実施の形態に適用されるオーディオシステムの一例を示す模式図である。図示するように、このシステムは、パソコン（パーソナルコンピュータ）１と、ディスク再生機器２ａ，２ｂと、サーバ３とからなる。なお、パソコン１とディスク再生機器２ａとは、ＲＳ２３２Ｃケーブル４を介して接続されており、また、ディスク再生機器２ａとディスク再生機器２ｂとは、ＩＥＢｕｓ（Inter Equipment Bus）やＵＡＲＴ（Universal Asynchronous Receiver Transmitter）等のインタフェースケーブル５を介して接続されている。そして、パソコン１とサーバ３とは、インターネット９を介して接続されている。
【００２７】
パソコン１は、キーボード、マウス、ディスプレイ及び、モデム等を備えた汎用のコンピュータ（ＣＰＵ，メモリ，ハードディスク、インタフェース等を内蔵するコンピュータ）からなり、ＲＳ２３２Ｃケーブル４を介して接続されているディスク再生機器２ａ等を制御すると共に、インターネット９を介してサーバ３と通信接続し、サーバ３との間で所定のデータを送受信する。
なお、パソコン１のハードディスクには、後述するＴＯＣ情報取得処理（タイトル情報取得処理）等をＣＰＵに実行させるためのプログラムが予め記憶されている。また、メモリには、所定のワーク領域が確保される。つまり、パソコン１は、ハードディスクに記憶されているプログラムがＣＰＵにて実行されることにより、後述するＴＯＣ情報取得処理等を行うものとする。
具体的にパソコン１は、ディスク再生機器２ａ，２ｂに向けて、ディスクのクランプ要求をそれぞれ供給し、ディスク再生機器２ａ，２ｂにてディスクチェンジを並行して行わせる。そして、ディスク再生機器２ａ，２ｂに格納されたディスクのＴＯＣ情報を順次取得する。
また、パソコン１は、ディスク再生機器２ａ，２ｂから全ディスクのＴＯＣ情報を取得すると、サーバ３に各ＴＯＣ情報を送信することにより、対応するタイトル情報をそれぞれ取得する。
【００２８】
ディスク再生機器２ａ，２ｂは、例えば、所定枚数のディスク（音楽ＣＤ等）を格納可能なロータリーストッカを有する再生機器であり、パソコン１から供給される制御コード等に従って、ロータリーストッカを回転させて対応するディスクをクランプし（ディスクチェンジを行い）、ＴＯＣ情報や楽曲データをディスクから読み出す。
なお、ディスク再生機器２ａは、マスタ機器として動作し、スレーブ機器となるディスク再生機器２ｂにパソコン１からの制御コード等を転送すると共に、ディスク再生機器２ｂから送られたＴＯＣ情報等を取得してパソコン１に転送する。
【００２９】
サーバ３は、インターネット９上の所定のアドレス（ＵＲＬ等）にてアクセス可能なＷｅｂサイトに備えられたデータサーバであり、市販された音楽ＣＤ等のタイトル情報を管理する。
具体的にサーバ３は、ＴＯＣ情報とタイトル情報とが関連付けられたデータベースを備えており、インターネット９を介して接続されたパソコン１からディスクの識別情報となるＴＯＣ情報が送信されると、送られたＴＯＣ情報に合致するタイトル情報をデータベースから検索する。そして、検索により得られたタイトル情報をパソコン１に返送する。
【００３０】
以下、この発明の実施の形態にかかるオーディオシステムの動作について、図２及び図３を参照して説明する。
図２は、パソコン１が実行するタイトル情報取得処理及び、サーバ３が実行するタイトル情報送信処理を説明するためのフローチャートである。また、図３は、パソコン１が実行するＴＯＣ情報取得処理、ディスク再生機器２ａが実行するＴＯＣ情報出力処理Ａ、及び、ディスク再生機器２ｂが実行するＴＯＣ情報出力処理Ｂをそれぞれ説明するためのフローチャートである。
なお、これらのタイトル情報取得処理等は、ディスク再生機器２ａ，２ｂにそれぞれ複数のディスクが装填された状態で、例えば、利用者によりキーボート等を介してパソコン１に処理の実行が指示された後に開始される。
【００３１】
まず、パソコン１は、ＴＯＣ情報取得処理に先立って、各ディスク再生機器２ａ，２ｂに対して、どのロータリーストッカにディスクが存在するかの情報を要求する。この要求に応答して、各ディスク再生機器２ａ，２ｂは、例えば、電源投入時に入手した各ストッカのディスク有無情報をパソコン１に送信する。
その後に、パソコン１は、ＴＯＣ情報取得処理を実行する（ステップＳ１１）。すなわち、パソコン１は、ディスク再生機器２ａ，２ｂにて順次ディスクチェンジを並行して行わせながら、ディスク再生機器２ａ，２ｂに格納されている全てのディスクからＴＯＣ情報を取得する。なお、ＴＯＣ情報取得処理の詳細については、後述する。
【００３２】
ディスク再生機器２ａ，２ｂから全ディスクのＴＯＣ情報を取得すると、パソコン１は、インターネット９を介してサーバ３に通信接続する（ステップＳ１２）。サーバ３は、パソコン１との接続を確立する（ステップＳ２１）。
【００３３】
パソコン１は、メモリ等に記憶したＴＯＣ情報をサーバ３に送信する（ステップＳ１３）。このＴＯＣ情報を受信すると、サーバ３は、ＴＯＣ情報とタイトル情報とが関連付けられたデータベースから、受信したＴＯＣ情報と合致するタイトル情報を検索する（ステップＳ２２）。そして、検索して得られたタイトル情報をパソコン１に返送する（ステップＳ２３）。
【００３４】
パソコン１は、受信したタイトル情報をメモリ等に記憶する（ステップＳ１４）。そして、全ディスク分のタイトル情報の取得が完了したか否かを判別する（ステップＳ１５）。パソコン１は、全てのタイトル情報の取得が完了していないと判別すると、上述のステップＳ１３に処理を戻す。
また、サーバ３は、パソコン１から送られ得る次のＴＯＣ情報を受信したか否かを判別する（ステップＳ２４）。サーバ３は、次のＴＯＣ情報を受信したと判別した場合、上述のステップＳ２２に処理を戻す。
【００３５】
パソコン１は、ステップＳ１５にて、全てのタイトル情報の取得が完了したと判別した場合に、全てのタイトル情報をディスク再生機器２ａを介して各機器に供給する（ステップＳ１６）。そして、ディスク再生機器２ａ，２ｂは、取得した各タイトル情報をディスク番号に対応付けて不揮発性メモリ等に記憶する。
また、サーバ３は、ステップＳ２４にて、次のＴＯＣ情報を受信していないと判別した場合に、パソコン１との接続を切断する（ステップＳ２５）。
このように、タイトル情報取得処理等により、ＴＯＣ情報にて特定されるディスク（音楽ＣＤ等）のタイトル情報を取得することができる。
【００３６】
以下、上述のタイトル情報取得処理におけるステップＳ１１のＴＯＣ情報取得処理等について、図３を参照して詳細に説明する。
まず、パソコン１は、ディスク番号ｎ（ｎは、変数であり、１以上の自然数を示す。）のクランプ要求をマスタ機器となるディスク再生機器２ａに供給する（ステップＳ３１）。なお、このディスク番号の指示は、ＴＯＣ情報取得処理に先立って受信されたディスク有無情報に基づいて行われる。そして、ディスク再生機器２ａは、要求されたディスク番号ｎにディスクチェンジする（ステップＳ４１）。
【００３７】
続けて、パソコン１は、ディスク番号ｍ（ｍは、変数であり、１以上の自然数を示す。）のクランプ要求をスレーブ機器となるディスク再生機器２ｂに向けて供給する（ステップＳ３２）。ディスク再生機器２ａは、このディスク番号ｍのクランプ要求をディスク再生機器２ｂに転送する（ステップＳ４２）。そして、ディスク再生機器２ｂは、要求されたディスク番号ｍにディスクチェンジする（ステップＳ５１）。
【００３８】
ディスク再生機器２ａは、番号ｎのディスクへのディスクチェンジを終えると、ＴＯＣ情報を読み込み、ディスク番号ｎのＴＯＣ読み込み終了コードをパソコン１に出力する（ステップＳ４３）。
パソコン１は、この読み込み終了コードを受信し、ディスク番号ｎのＴＯＣ情報要求コードをディスク再生機器２ａに出力する（ステップＳ３３）。そして、ディスク再生機器２ａは、ディスク番号ｎのＴＯＣ情報をパソコン１に出力する（ステップＳ４４）。
パソコン１は、取得したＴＯＣ情報をメモリ等に記憶する（ステップＳ３４）。
【００３９】
また、ディスク再生機器２ｂは、番号ｍのディスクへのディスクチェンジを終えると、ＴＯＣ情報を読み込み、ディスク番号ｍのＴＯＣ読み込み終了コードをパソコン１に向けて出力する（ステップＳ５２）。ディスク再生機器２ａは、このＴＯＣ読み込み終了コードをパソコン１に転送する（ステップＳ４５）。
パソコン１は、ディスク番号ｍの読み込み終了コードを受信し、ディスク番号ｍのＴＯＣ情報要求コードをディスク再生機器２ｂに向けて供給する（ステップＳ３５）。ディスク再生機器２ａは、このＴＯＣ情報要求コードをディスク再生機器２ｂに転送する（ステップＳ４６）。
ディスク再生機器２ｂは、ディスク番号ｍのＴＯＣ情報をパソコン１に向けて出力する（ステップＳ５３）。ディスク再生機器２ａは、このディスク番号ｍのＴＯＣ情報をパソコン１に転送する（ステップＳ４７）。そして、パソコン１は、取得したＴＯＣ情報をメモリ等に記憶する（ステップＳ３６）。
【００４０】
パソコン１は、全ディスク分のＴＯＣ情報の取得が完了したか否かを判別する（ステップＳ３７）。なお、この判別も、先立って取得されたディスク有無情報に基づいて行われる。
パソコン１は、全てのＴＯＣ情報の取得が完了していないと判別すると、ステップＳ３１に処理を戻し、上述のステップＳ３１〜Ｓ３７の処理を繰り返し実行する。一方、全てのＴＯＣ情報の取得が完了したと判別した場合に、パソコン１は、上述の図２に示すタイトル情報取得処理に処理を戻す。
【００４１】
このように、ＴＯＣ情報取得処理等により、ディスク再生機器２ａ，２ｂにてディスクチェンジを並行して行わせ、各機器に格納されている全ディスクのＴＯＣ情報を取得する。この際、各機器にて、ディスクチェンジに要する待ち時間が発生するが、この待ち時間を使って、ＴＯＣ情報の送信等を行う。
すなわち、ディスク再生機器２ａ，２ｂは、図４に示すように、ディスクチェンジ毎に所定時間ｔを要することとなるが、ディスクチェンジを並行して行うため、全てのＴＯＣ情報を読み出すまでの時間Ｔが短時間で済むこととなる。
また、各機器にて生じるディスクチェンジに要する待ち時間をＴＯＣ情報の送信等に割り当てているため、待ち時間を有効に活用することができる。
【００４２】
なお、ＴＯＣ情報の送信のタイミングは、パソコン１で決定するようにしても良いし、各ディスク再生機器（２ａ，２ｂ）で決定するようにしても良い。
パソコン１が各ディスク再生機器のＴＯＣ情報の送信タイミングを決定する際には、その時点でＴＯＣ情報受信待ちのディスク再生機器がないか、若しくは既にＴＯＣ情報要求コードを送信しているディスク再生機器がないか、更には、既に他のディスク再生機器から読み込み終了コードを受信していないかの条件のうち、一若しくは複数の条件に合致するか否かで決定するようにしても良い。
上記条件に合致しない場合、パソコン１は、該当するディスク再生機器にＴＯＣ情報の送信を指示する。
なお、読み込み終了コードの送信は、パソコン１は常に受信可能であり、他のディスク再生機器のＴＯＣ情報の受信が完了した時点で、順次ＴＯＣ要求コードを送信して、ＴＯＣ情報を取得する。
一方、各ディスク再生機器がＴＯＣ情報の送信タイミングを決定する場合には、送信のためのアクセスを試み、成功すれば、ＴＯＣ情報を送信する。また、他の方法としては、パソコン１からパソコン１の状態情報を常に受信し、この状態情報に基づいてＴＯＣ情報の送信タイミングを決定するようにしても良い。
従って、ここでいうディスクチェンジに要する待ち時間とは、実際にディスク再生機器がロータリーストッカ等のチェンジャ機構を駆動している時に限られない。例えば、ディスクのクランプ中やＴＯＣ情報の取得中等、パソコン１とのＴＯＣ情報の送受信以外の状態のほとんどが含まれる。
この結果、複数のディスク再生機器を含んだオーディオシステムにおいて、各ディスク再生機器から複数の識別情報を迅速に取得することができる。
【００４３】
上記の実施の形態では、クランプするディスク番号の指定は、ディスク有無情報に基づくものとして説明したが、これに限られない。例えば、単に次のディスク番号を指定するようにしても良い。この場合、ディスクがなければ、その旨がパソコン１に通知される。
【００４４】
上記の実施の形態では、パソコン１とディスク再生機器２ａとをＲＳ２３２Ｃケーブル４にて接続し、ディスク再生機器２ａとディスク再生機器２ｂとをＩＥＢｕｓ等のインタフェースケーブル５にて接続したが、これらの接続のインタフェースは任意である。例えば、ＵＳＢ（Universal Serial Bus）やＩＥＥＥ１３９４等のインタフェースにてこれらを接続してもよい。
また、接続形態も、デイジーチェーンに限られず、ツリー構造にて接続してもよい。更に、ディスク再生機器２ａ，２ｂの接続台数も２台以上であれば、任意である。
【００４５】
なお、この発明の実施の形態にかかるオーディオシステムにおいて、パソコン１のハードディスクにＴＯＣ情報取得処理等を規定するプログラムが予め記憶されているものとして説明したが、当該プログラムを、外部からパソコン１に供給してもよい。例えば、ＴＯＣ情報取得処理等のプログラムを格納した媒体（フレキシブルディスク、ＣＤ−ＲＯＭ等）から当該プログラムをパソコン１にインストールすることにより、上述の処理を実行可能としてもよい。
【００４６】
また、パソコン１にプログラムを供給するための手法は、任意である。例えば、通信回線、通信ネットワーク、通信システム等を介して供給してもよい。一例を挙げると、通信ネットワークの掲示板（ＢＢＳ）に当該プログラムを掲示し、これをネットワークを介して搬送波に重畳して配信する。
そして、このプログラムを起動し、ＯＳ等の制御下で、他のアプリケーションプログラムと同様に実行することにより、上述の処理を実行することができる。
【００４７】
【発明の効果】
以上説明したように、本発明によれば、複数のディスク再生機器を含んだオーディオシステムにおいて、各ディスク再生機器から複数の識別情報を迅速に取得することができる。
【図面の簡単な説明】
【図１】本発明の実施の形態に係るオーディオシステムの構成の一例を示す模式図である。
【図２】本発明の実施の形態に係るタイトル情報取得処理及びタイトル情報送信処理を説明するためのフローチャートである。
【図３】本発明の実施の形態に係るＴＯＣ情報取得処理、ＴＯＣ情報出力処理Ａ及びＴＯＣ情報出力処理Ｂを説明するためのフローチャートである。
【図４】各ディスク再生機器にて並行して消費されるディスクチェンジ時間及び、全ディスクのＴＯＣ情報を取得するまでに要する時間を説明するための模式図である。
【図５】従来のオーディオシステムの一例を示す模式図である。
【図６】従来のオーディオシステムの動作を説明するための動作フローである。
【図７】従来のオーディオシステムの「ALL Disc Read Mode」時の動作を説明するための動作フローである。
【図８】従来のオーディオシステムにおいて、複数台のディスク再生機器が接続された一例を示す模式図である。
【図９】各ディスク再生機器にてそれぞれ消費されるディスクチェンジ時間及び、全ディスクのＴＯＣ情報を取得するまでに要する時間を説明するための模式図である。
【符号の説明】
１  パソコン
２ａ、２ｂ  ディスク再生機器
３  サーバ
４  ＲＳ２３２Ｃケーブル
５  インタフェースケーブル
９  インターネット
【図１】
0003806613.tif 000002
【図２】
0003806613.tif 000003
【図３】
0003806613.tif 000004
【図４】
0003806613.tif 000005
【図５】
0003806613.tif 000006
【図６】
0003806613.tif 000007
【図７】
0003806613.tif 000008
【図８】
0003806613.tif 000009
【図９】
0003806613.tif 000010